(57)【要約】【課題】外装ケース内に振動源となる動作体が収容されている場合において、取付け対象壁部に振動が伝達することを適切に防止または抑制することが可能な温水装置を提供する。【解決手段】温水装置ＷＨの外装ケースＣの背板部２２には、一対の取付け部材３Ａ，３Ｂの相互間に位置して横幅方向に延びる上側および下側の一対の横延状段押し部２４Ａ，２４Ｂが具備されており、横延状段押し部２４Ａの横幅Ｗ２ａは、取付け部材３Ａの横幅Ｗ１ａよりも大きく、かつ横延状段押し部２４Ｂの横幅Ｗ２ｂは、取付け部材３Ｂの横幅Ｗ１ｂよりも大きくされており、背板部２２の縦幅方向において、取付け部材３Ａと横延状段押し部２４Ａとの相互間隔Ｌ１ａ、および取付け部材３Ｂと横延状段押し部２４Ｂとの相互間隔Ｌ１ｂのそれぞれは、一対の横延状段押し部２４Ａ，２４Ｂの相互間隔Ｌ２よりも小さくされている。【選択図】  図１
2020085358.tif 000002
【特許請求の範囲】
【請求項１】
振動源となる動作体が内部に収容され、かつ背板部を備えている外装ケースと、
前記背板部の上部および下部に取付けられ、かつ前記外装ケースを起立状の取付け対象壁部に取付けるための上側および下側の一対の取付け部材と、
を備えている、温水装置であって、
前記背板部のうち、前記一対の取付け部材の相互間の位置に設けられ、かつ前記背板部の一部が前記背板部の厚み方向に部分的に押し出された形態を有して、前記背板部の横幅方向に延びる上側および下側の一対の横延状段押し部を備えており、
前記上側の横延状段押し部は、前記上側の取付け部材よりも横幅が大きく、かつ前記下側の横延状段押し部は、前記下側の取付け部材よりも横幅が大きくされており、
前記背板部の縦幅方向において、前記上側の取付け部材と前記上側の横延状段押し部との相互間隔、および前記下側の取付け部材と前記下側の横延状段押し部との相互間隔のそれぞれは、前記一対の横延状段押し部の相互間隔よりも小さくされていることを特徴とする、温水装置。
【請求項２】
請求項１に記載の温水装置であって、
前記背板部の縦幅方向において、前記上側の取付け部材と前記上側の横延状段押し部との相互間隔は、前記背板部の縦幅方向中心から前記上側の横延状段押し部までの寸法よりも小さく、かつ前記下側の取付け部材と前記下側の横延状段押し部との相互間隔は、前記背板部の縦幅方向中心から前記下側の横延状段押し部までの寸法よりも小さくされている、温水装置。
【請求項３】
請求項１または２に記載の温水装置であって、
前記背板部の上部寄り領域および下部寄り領域のうち、前記一対の取付け部材よりも前記横幅方向両外側の位置に設けられ、かつ前記背板部の一部が前記背板部の厚み方向に押し出された形態を有して、前記縦幅方向に延びる上側および下側の一対の縦延状段押し部を、さらに備えている、温水装置。
【請求項４】
請求項３に記載の温水装置であって、
前記一対の縦延状段押し部は、前記一対の横延状段押し部の長手方向両端部に直接繋がった状態に設けられている、温水装置。
【発明の詳細な説明】
【技術分野】
【０００１】
本発明は、給湯装置などの温水装置、より詳しくは、家屋の壁部などの所望の取付け対象壁部に取付けて設置されるいわゆる壁掛けタイプの温水装置に関する。
【背景技術】
【０００２】
温水装置の具体例として、特許文献１，２に記載のものがある。
同文献に記載の温水装置は、ポンプやファンなどが付属して設けられた温水機器が、外装ケース内に収容された構成であり、この外装ケースの背板部の上部および下部には、上下一対の取付け部材が設けられている。これら一対の取付け部材を所望の取付け対象壁部にビス止めすることにより、この取付け対象壁部に温水装置が取付けられる。
前記したポンプ、ファン、およびこれらを駆動するためのモータなどの回転動作体は、外装ケースを振動させる振動源となるが、外装ケースの振動が一対の取付け部材を介して取付け対象壁部に伝達すると、振動騒音を生じさせる。そこで、特許文献１，２においては、各取付け部材に防振用の弾性ゴムを設ける手段、あるいは各取付け部材として、２枚の鋼板の相互間に粘弾性樹脂を挟み込んだ制振鋼板を用いる手段が採用されている。このような構成によれば、各取付け部材から取付け対象壁部に振動が伝達することを抑制することが可能である。
【０００３】
しかしながら、前記従来技術においては、次に述べるように、未だ改善すべき余地があった。
すなわち、取付け部材に防振用の弾性ゴムを設けたり、あるいは取付け部材を制振鋼板製としただけでは、取付け対象壁部に振動が伝達することを十分に防止することができない場合があり、そのためには、弾性ゴムのサイズを大きくしたり、あるいは制振鋼板の粘弾性樹脂のボリュームをかなり大きくするといったことが必要となる。ただし、このような手段を採用すると、部品コストが高価となり、温水装置全体の製造コストが上昇する。また、前記した弾性ゴムや粘弾性樹脂は、経時劣化を生じ易く、とくに温水装置が屋外に設置されて、日光や風雨に晒される環境下においては、その傾向がより顕著となり、長期使用には不向きとなる不具合もある。
【先行技術文献】
【特許文献】
【０００４】
【特許文献１】特開２００１−３３００７９号公報
【特許文献２】特開２００５−９７４８号公報
【発明の概要】
【発明が解決しようとする課題】
【０００５】
本発明は、前記したような事情のもとで考え出されたものであり、外装ケース内に振動源となる動作体が収容されている場合において、取付け対象壁部に振動が伝達することを適切に防止または抑制することが可能な温水装置を提供することを、その課題としている。
【課題を解決するための手段】
【０００６】
上記の課題を解決するため、本発明では、次の技術的手段を講じている。
【０００７】
本発明により提供される温水装置は、振動源となる動作体が内部に収容され、かつ背板部を備えている外装ケースと、前記背板部の上部および下部に取付けられ、かつ前記外装ケースを起立状の取付け対象壁部に取付けるための上側および下側の一対の取付け部材と
、を備えている、温水装置であって、前記背板部のうち、前記一対の取付け部材の相互間の位置に設けられ、かつ前記背板部の一部が前記背板部の厚み方向に部分的に押し出された形態を有して、前記背板部の横幅方向に延びる上側および下側の一対の横延状段押し部を備えており、前記上側の横延状段押し部は、前記上側の取付け部材よりも横幅が大きく、かつ前記下側の横延状段押し部は、前記下側の取付け部材よりも横幅が大きくされており、前記背板部の縦幅方向において、前記上側の取付け部材と前記上側の横延状段押し部との相互間隔、および前記下側の取付け部材と前記下側の横延状段押し部との相互間隔のそれぞれは、前記一対の横延状段押し部の相互間隔よりも小さくされていることを特徴としている。
【０００８】
このような構成によれば、次のような効果が得られる。
すなわち、振動源となる動作体が動作し、外装ケースが振動する場合、本来的には、この振動は、外装ケースの背板部から上側および下側の一対の取付け部材を介して取付け対象壁部に伝わる。これに対し、一対の横延状段押し部は、背板部の他の一般部分と比較すると、剛性が高く、振動を生じ難い部分であって、一対の取付け部材のそれぞれに接近した配置とされ、かつそれらよりも横幅が広くされている。このため、一対の横延状段押し部は、外装ケースの振動がその背板部から一対の取付け部材に伝達することを抑制する。一方、縦幅方向における一対の横延状段押し部の相互間隔は、大きくされているため、外装ケースの背板部の中央寄り領域においては、振動を生じさせることが可能であり、このことにより振動エネルギを発散させ、一対の取付け部材に振動が伝達することをより抑制する効果が得られることとなる。その結果、取付け対象壁部に振動が伝達して振動騒音が発生する不具合を、適切に防止または抑制することができる。
本発明によれば、特許文献１，２とは異なり、取付け部材に防振用の弾性ゴムを設けたり、あるいは取付け部材を、粘弾性樹脂を含む制振鋼板製にするといった必要をなくすことができる。したがって、取付け部材の部品コスト、ひいては温水装置全体の製造コストを低減することが可能である。また、屋外設置環境下において経時劣化を生じ易い弾性ゴムなどを用いる必要をなくし、または少なくすることにより、取付け部材の耐久性を向上させ、使用寿命の長期化を図ることもできる。
【０００９】
本発明において、好ましくは、前記背板部の縦幅方向において、前記上側の取付け部材と前記上側の横延状段押し部との相互間隔は、前記背板部の縦幅方向中心から前記上側の横延状段押し部までの寸法よりも小さく、かつ前記下側の取付け部材と前記下側の横延状段押し部との相互間隔は、前記背板部の縦幅方向中心から前記下側の横延状段押し部までの寸法よりも小さくされている。
【００１０】
このような構成によれば、一対の横延状段押し部が、一対の取付け部材に対して、より接近した配置とされることとなり、外装ケースの背板部から取付け部材や取付け対象壁部に振動が伝達することを、より的確に防止することが可能となる。
【００１１】
本発明において、好ましくは、前記背板部の上部寄り領域および下部寄り領域のうち、前記一対の取付け部材よりも前記横幅方向両外側の位置に設けられ、かつ前記背板部の一部が前記背板部の厚み方向に押し出された形態を有して、前記縦幅方向に延びる上側および下側の一対の縦延状段押し部を、さらに備えている。
【００１２】
このような構成によれば、一対の縦延状段押し部が所定の位置に設けられていることによって、背板部の振動が一対の取付け部材に伝達することは、より徹底して抑制される。横延状段押し部は、背板部の横幅方向の振動を抑制する効果に優れるのに対し、縦延状段押し部は、背板部の縦幅方向の振動を抑制する効果に優れるため、これらの相乗効果に基づき、背板部から取付け部材への振動伝達防止効果は、より優れたものとなる。
【００１３】
本発明において、好ましくは、前記上側および下側の縦延状段押し部は、前記上側および下側の横延状段押し部の長手方向両端部に繋がった状態に設けられている。
【００１４】
このような構成によれば、次のような効果が得られる。
すなわち、横延状段押し部と縦延状段押し部とが分離して設けられている場合と比較すると、前記構成のように、横延状段押し部と縦延状段押し部とが繋がった状態に設けられている方が、これらの形成箇所の剛性はより効果的に高められ、振動伝達防止効果に優れたものとなる。したがって、背板部から取付け部材および取付け対象壁部への振動伝達防止効果を優れたものとする上で、より好ましいものとなる。
【００１５】
本発明のその他の特徴および利点は、添付図面を参照して以下に行なう発明の実施の形態の説明から、より明らかになるであろう。
【図面の簡単な説明】
【００１６】
【図１】（ａ）は、本発明に係る温水装置の一例を示す概略正面斜視図であり、（ｂ）は、（ａ）の概略背面斜視図であり、（ｃ）は、設置状態の例を示す概略側面断面図である。
【図２】図１に示す温水装置の背面図であり、（ｂ）は、（ａ）のIIb−IIb断面図であり、（ｃ）は、（ａ）のIIc−IIc断面図である。
【図３】（ａ）〜（ｃ）は、本発明の他の例を示す要部断面図である。
【図４】（ａ）〜（ｅ）は、本発明の他の例を示す要部背面図である。
【図５】（ａ）〜（ｃ）は、本発明の他の例を示す要部背面図であり、（ｄ）は、本発明の他の例を示す背面図である。
【発明を実施するための形態】
【００１７】
以下、本発明の好ましい実施の形態について、図面を参照して具体的に説明する。
【００１８】
図１および図２に示す温水装置ＷＨは、壁掛けタイプの給湯装置として構成されており、温水装置本体部１、この温水装置本体部１を収容する外装ケースＣ、ならびに上側および下側の一対の取付け部材３Ａ，３Ｂを備えている。外装ケースＣは、背板部２２を備えており、この背板部２２には、上側および下側の一対の横延状段押し部２４Ａ，２４Ｂ、ならびに複数の縦延状段押し部２５Ａ，２５Ｂが設けられている。
【００１９】
温水装置本体部１は、モータＭにより駆動されるファン１０、このファン１０から燃焼用空気の供給を受けるバーナ１１、このバーナ１１により発生された燃焼ガスから熱回収を行なうための熱交換器１２などを有し、外装ケースＣの外部から熱交換器１２に送り込まれて加熱された温水が外装ケースＣの外部に出湯するように構成されている。モータＭおよびファン１０は、本発明でいう「振動源となる動作体」の具体例に相当し、これらの駆動時には、外装ケースＣの振動が発生する。温水装置本体部１の背面部は、たとえばステー１３を介して外装ケースＣの背板部２２の縦幅方向略中央部に取付けられている。
【００２０】
外装ケースＣは、前面開口部２０を有する略直方体状のケース本体２と、前面開口部２０を塞ぐようにケース本体２に接続される前面パネル２１とを具備している。これらケース本体２や前面パネル２１は、たとえばカラー鋼板などの金属板を用いて構成されている。外装ケースＣの背板部２２は、背面視略矩形の平板状であり、この背板部２２の上部および下部に、上側および下側の一対の取付け部材３Ａ，３Ｂが取付けられている。この取付け手段としては、たとえばスポット溶接などの溶接手段が用いられている。ただし、これに限定されない。取付け部材３Ａ，３Ｂの上部または下部は、背板部２２の上側または下側にはみ出すように設定され、かつこれらの部分には、ビス止め用の孔部３０が設けられている。図１（ｃ）に示すように、外装ケースＣは、孔部３０に挿通するビス３１を用
いることにより、起立状の所望の取付け対象壁部９に取付けられる。取付け対象壁部９は、たとえば家屋の外壁であるが、これに限定されず、温水装置ＷＨとは別に設置されている貯湯タンクユニットなどの他の装置・機器類の壁部とすることもできる。
【００２１】
一対の横延状段押し部２４Ａ，２４Ｂは、背板部２２の横幅方向（水平方向）に略直線状に延びた比較的細幅な段押し部である。複数の縦延状段押し部２５Ａ，２５Ｂは、背板部２２の縦幅方向（上下高さ方向）に略直線状に延びた比較的細幅な段押し部であり、横延状段押し部２４Ａ，２４Ｂの長手方向両端部に直接繋がった状態に設けられている。これらは、外装ケースＣの背板部２２に、その一部を背板部２２の厚み方向に部分的に押し出す段押しプレス加工を施すことにより設けられた部位であり、上側の横延状段押し部２４Ａは、たとえば図２（ｂ）に示すように、背板部２２の一般部分から背板部２２の背後に突出する一対の斜壁部２４ａ、およびこれら一対の斜壁部２４ａどうしを繋ぐ平壁部２４ｂを有している。図示説明は省略するが、下側の横延状段押し部２４Ｂも、これと同様な断面構造である。縦延状段押し部２５Ａは、図２（ｃ）に示すように、横延状段押し部２４Ａ，２４Ｂと同様な断面形態であって、一対の斜壁部２５ａ、および平壁部２５ｂを有している。他の縦延状段押し部２５Ｂも、縦延状段押し部２５Ａと同様である。
【００２２】
一対の横延状段押し部２４Ａ，２４Ｂの横幅Ｗ２ａ，Ｗ２ｂは、取付け部材３Ａ，３Ｂの横幅Ｗ１ａ，Ｗ１ｂよりも大きくされており、これらは、
Ｗ２ａ＞Ｗ１ａ、Ｗ２ｂ＞Ｗ１ｂ
の関係である。
図２（ａ）において、符号Ｌ３は、横延状段押し部２４Ａ，２４Ｂの縦幅である。
【００２３】
一対の横延状段押し部２４Ａ，２４Ｂは、一対の取付け部材３Ａ，３Ｂの相互間に位置しており、背板部２２の縦幅方向において、上側の取付け部材３Ａと上側の横延状段押し部２４Ａとの相互間隔Ｌ１ａ、および下側の取付け部材３Ｂと下側の横延状段押し部２４Ｂとの相互間隔Ｌ１ｂのそれぞれと、一対の横延状段押し部２４Ａ，２４Ｂの相互間隔Ｌ２とは、
Ｌ１ａ＜Ｌ２、Ｌ１ｂ＜Ｌ２
の関係である。
この関係は、一対の横延状段押し部２４Ａ，２４Ｂを一対の取付け部材３Ａ，３Ｂに接近させた配置としつつ、一対の横延状段押し部２４Ａ，２４Ｂどうしの相互間隔Ｌ２は大きくとっていることを意味する。
【００２４】
より好ましくは、上側の取付け部材３Ａと上側の横延状段押し部２４Ａとの相互間隔Ｌ１ａおよび下側の取付け部材３Ｂと下側の横延状段押し部２４Ｂとの相互間隔Ｌ１ｂは、背板部２２の縦幅方向中心ＣＬから一対の横延状段押し部２４Ａ，２４Ｂのそれぞれまでの寸法をＬ４ａ，Ｌ４ｂとすると、
Ｌ１ａ＜Ｌ４ａ、Ｌ１ｂ＜Ｌ４ｂ
の関係とされる。
ただし、さらに好ましくは、一対の横延状段押し部２４Ａ，２４Ｂは、図２（ａ）に示すように、一対の取付け部材３Ａ，３Ｂにかなり接近した配置とされる。
【００２５】
複数の縦延状段押し部２５Ａ，２５Ｂは、横延状段押し部２４Ａ，２４Ｂの両端部から背板部２２の縦幅方向中央側に向けて延びており、２つの縦延状段押し部２５Ａと横延状段押し部２４Ａとの組み合わせ形状、ならびに２つの縦延状段押し部２５Ｂと横延状段押し部２４Ｂとの組み合わせ形状は、それぞれ背面視略コ字状である。複数の縦延状段押し部２５Ａ，２５Ｂは、一対の取付け部材３Ａ，３Ｂよりも横幅方向両外側の領域Ｓａ，Ｓｂに位置している。縦延状段押し部２５Ａ，２５Ｂの幅Ｗ５は、横延状段押し部２４Ａ，２４Ｂの幅Ｌ３と略同一である。
【００２６】
次に、前記した温水装置ＷＨの作用について説明する。
【００２７】
まず、ファン１０がモータＭにより駆動される際には、これらが振動源となり、外装ケースＣの略全体が振動する。この振動が、背板部２２から取付け部材３Ａ，３Ｂを介して取付け対象壁部９に伝達すると振動騒音が発生するため、これを適切に防止することが要請される。
【００２８】
これに対し、一対の横延状段押し部２４Ａ，２４Ｂは、背板部２２の他の一般部分と比較すると、剛性が高く、振動を生じ難い部分であり、一対の取付け部材３Ａ，３Ｂのそれぞれに接近した配置とされ、かつ一対の取付け部材３Ａ，３Ｂよりも横幅が広くされている。このため、一対の横延状段押し部２４Ａ，２４Ｂは、一対の取付け部材３Ａ，３Ｂおよびその近辺が振動することを適切に抑制する。また、背板部２２の中央寄り領域Ｓｃの振動が取付け部材３Ａ，３Ｂ側に伝達することを抑制する作用をも生じさせる。したがって、外装ケースＣの振動が取付け部材３Ａ，３Ｂを介して取付け対象壁部９に伝達することは、適切に防止または抑制される。
【００２９】
横延状段押し部２４Ａ，２４Ｂは、背板部２２の横幅方向の振動を抑制する効果に優れるのに対し、縦延状段押し部２５Ａ，２５Ｂは、背板部２２の縦幅方向の振動を抑制する効果に優れる。このため、本実施形態では、背板部２２から取付け部材３Ａ，３Ｂへの振動伝達防止効果を、より優れたものとすることが可能である。
【００３０】
一方、一対の横延状段押し部２４Ａ，２４Ｂの相互間隔Ｌ２は大きくされ、背板部２２の中央寄り領域Ｓｃを避けた配置とされており、また縦延状段押し部２５Ａ，２５Ｂも中央寄り領域Ｓｃを避けた配置とされている。このため、背板部２２の中央寄り領域Ｓｃにおいては、モータＭおよびファン１０の動作に起因する振動を自然に生じさせ、その振動エネルギを適切に発散させることが可能である。このことにより、取付け対象壁部９に振動が伝達することをより適切に防止または抑制することが可能となる。
【００３１】
このように、本実施形態によれば、背板部２２に横延状段押し部２４Ａ，２４Ｂおよび縦延状段押し部２５Ａ，２５Ｂを設けただけの簡易な構成により、取付け対象壁部９に振動が伝達することを適切に防止または抑制することが可能である。したがって、取付け部材３Ａ，３Ｂに、たとえば防振用の弾性ゴムを設けるといった必要をなくし、製造コストを低減することが可能である。また、防振用の弾性ゴムは、経時劣化を生じ易く、耐久性に劣るが、これを用いないことにより、耐久性を高めることもできる。
【００３２】
図３〜図５は、本発明の他の実施形態を示している。これらの図において、前記実施形態と同一または類似の要素には、前記実施形態と同一の符号を付しており、重複説明は省略する。
【００３３】
図３は、横延状段押し部２４Ａの断面形状の他の例を示している。
横延状段押し部２４Ａは、同図（ａ）においては断面略円弧状とされ、同図（ｂ）においては断面略Ｖ字状とされ、同図（ｃ）においては、断面略Ｕ字状または略コ字状とされている。
これらのいずれの構成においても、本発明が意図する振動抑制効果および振動伝達防止効果を得ることが可能である。勿論、本発明においては、横延状段押し部２４Ａを上述した形態以外の形態に形成することができる。下側の横延状段押し部２４Ｂ、および縦延状段押し部２５Ａ，２５Ｂも同様である。
【００３４】
図４は、縦延状段押し部２５Ａを設ける場合の他の例を示している。
縦延状段押し部２５Ａは、同図（ａ）においては、横延状段押し部２４Ａの両端部から離間し、かつ接近した配置に設けられている。同図（ｂ）においては、縦延状段押し部２５Ａは、横延状段押し部２４Ａの両端部の上方に一部が突出した形態に設けられている。同図（ｃ）においては、横延状段押し部２４Ａは、縦延状段押し部２５Ａよりも外方側に両端部が突出した形態に設けられている。同図（ｄ）においては、横延状段押し部２４Ａおよび縦延状段押し部２５Ａのそれぞれの端部どうしが十字状に交差するように設けられている。同図（ｅ）においては、縦延状段押し部２５Ａが、横延状段押し部２４Ａから上向きに延びている。
図示説明は省略するが、背板部２２の下側領域の構成（下側の横延状段押し部２４Ｂ、およびこれに対応して設けられる縦延状段押し部２５Ｂなど）も、前記したものと同様な構成とすることができる（この点は、後述する図５（ａ）〜（ｃ）も同様）。
本発明においては、縦延状段押し部２５Ａ，２５Ｂを設ける場合に、前記したような態様とすることが可能である。勿論、これら以外の態様とすることも可能である。
【００３５】
図５は、横延状段押し部２４Ａの他の例を示している。
同図（ａ）においては、横幅方向に延びた直線状の横延状段押し部２４Ａは設けられているものの、縦延状段押し部２５Ａは設けられていない。本実施形態のように、本発明においては、縦延状段押し部を設けない構成とすることもできる。
同図（ｂ）においては、横延状段押し部２４Ａが、所定の曲率半径Ｒをもつ曲線状に形成されている。同図（ｃ）においては、横延状段押し部２４Ａが、縦幅Ｌ３が比較的大きなものとされている。同図（ｄ）においては、一対の横延状段押し部２４Ａ，２４Ｂに加え、これらよりも中央寄り側には、一対の横延状段押し部２４Ａ’，２４Ｂ’が接近した配置でさらに設けられている。
これらのいずれの構成においても、本発明が意図する作用を得ることが可能である。
【００３６】
本発明は、上述した実施形態の内容に限定されない。本発明に係る温水装置の各部の具体的な構成は、本発明の意図する範囲内において種々に設計変更自在である。
【００３７】
振動源となる動作体は、ファンおよびこれを駆動するモータに限らず、たとえばモータ駆動されるポンプなども該当し、種々の回転動作体や、往復動作体などが該当する。
外装ケースは、一対の取付け部材を具備する構成であるが、これらに加えて、さらに別の取付け部材が設けられている結果、複数対の取付け部材を具備した構成とされていてもよい。この場合、少なくとも一対の取付け部材に対し、本発明が意図する態様で背板部に横延状段押し部が設けられていれば、本発明の技術的範囲に包摂される。
本発明でいう温水装置は、一般給湯機能を備えた給湯装置に限らず、たとえば風呂給湯、暖房用給湯などの給湯機能を備えたものなど、温水生成機能を備えた装置を意味する。
なお、本発明においては、既述したとおり、外装ケースから取付け対象壁部に振動が伝達することを防止するための手段として、取付け部材に防振用の弾性ゴムなどを設ける必要をなくすことが可能であるが、防振性をより高めるなどの理由から、あえて弾性ゴムなどを設けた構成とすることもできる。
【符号の説明】
【００３８】
ＷＨ  温水装置
Ｃ  外装ケース
Ｍ  モータ（振動源となる動作体）
１０  ファン（振動源となる動作体）
３Ａ，３Ｂ  取付け部材
２２  背板部
２４Ａ，２４Ｂ  横延状段押し部
２５Ａ，２５Ｂ  縦延状段押し部
【図１】
2020085358.tif 000003
【図２】
2020085358.tif 000004
【図３】
2020085358.tif 000005
【図４】
2020085358.tif 000006
【図５】
2020085358.tif 000007